Podtech/llm-jp-corpus-v4-ja_patent huggingface dataset:
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
共有スペクトルで動作するネットワークの第2階層のワイヤレス通信デバイスを用いて、ショートトレーニングフィールド(STF)と、ロングトレーニングフィールド(LTF)と、ビーコン情報フィールドとを含むビーコンを生成するステップであって、前記ビーコン情報フィールドは、特定の階層のワイヤレス通信デバイスが、ある時間期間の間に前記共有スペクトルにアクセスすることを許可されるかどうかを示す情報である、ステップと、
前記共有スペクトルを通じた複数の階層からの通信が前記ビーコンに基づいて調整されるように、前記ネットワークの前記第2階層のワイヤレス通信デバイスから、サブフレームのタイムスロット中に前記ビーコンを伝送するステップと
を含む、方法。
【請求項２】
前記ビーコンを前記伝送するステップが、前記ネットワークのすべての利用可能な帯域で、または前記ネットワークの利用可能な帯域のサブセットのみで前記ビーコンを伝送するステップを含む、請求項1に記載の方法。
【請求項３】
前記ネットワークの前記第2階層のワイヤレス通信デバイスから、ビーコン間隔で追加のビーコンを周期的に伝送するステップ、および/または
前記ネットワークの前記第2階層のワイヤレス通信デバイスから、ロングビーコンを定義するために所定の時間期間の間前記ビーコンを繰り返し伝送するステップ、および/または
ネットワーク起動時に、前記ネットワークの前記第2階層のワイヤレス通信デバイスから、所定の時間期間の間起動ビーコンを繰り返し伝送するステップ
をさらに含む、請求項1に記載の方法。
【請求項４】
ビーコン間隔で追加のビーコンを周期的に伝送するとき、前記追加のビーコンを前記周期的に伝送するステップが、時間とともに前記ネットワークの利用可能な帯域の異なる帯域を通じて伝送するステップを含む、請求項3に記載の方法。
【請求項５】
ロングビーコンを定義するために所定の時間期間の間前記ビーコンを繰り返し伝送するとき、前記所定の時間期間が、第3階層のワイヤレス通信デバイスの最大オン時間を超える、請求項3に記載の方法。
【請求項６】
ネットワーク起動時に所定の時間期間の間起動ビーコンを繰り返し伝送するとき、前記起動ビーコンが、前記サブフレームの前記タイムスロット中の前記ビーコンの前記伝送のためのタイミング情報を含む、請求項3に記載の方法。
【請求項７】
ワイヤレス通信のための方法であって、
ワイヤレス通信デバイスにおいて、サブフレームのタイムスロット中に、共有スペクトルで動作するネットワークの第2階層のワイヤレス通信デバイスからビーコンを受信するステップであって、前記ビーコンが、ショートトレーニングフィールド(STF)と、ロングトレーニングフィールド(LTF)と、ビーコン情報フィールドとを含み、前記ビーコン情報フィールドは、特定の階層のワイヤレス通信デバイスが、ある時間期間の間に前記共有スペクトルにアクセスすることを許可されるかどうかを示す情報である、ステップと、
前記ワイヤレス通信デバイスによって、前記ビーコンに基づいて前記共有スペクトルを通じた複数の階層からの通信を調整するステップと
を含む、方法。
【請求項８】
前記ビーコン情報フィールドに含まれる前記ネットワークに関するデータが、ネットワーク識別子、占有されたネットワーク帯域の表示、第2階層のイネーブル信号、第3階層のイネーブル信号、第2階層の予約時間、第3階層の予約時間、シャットダウン信号、および/またはビーコン間隔のうちの1つまたは複数を含む、請求項1または7に記載の方法。
【請求項９】
前記ビーコンについて前記ネットワークのすべての利用可能な帯域をスキャンするステップか、または
前記ビーコンについて前記ネットワークのすべての利用可能な帯域のサブセットのみをスキャンするステップ
のうちの少なくとも一方をさらに含む、および/または
前記ネットワークの前記第2階層のワイヤレス通信デバイスから、ビーコン間隔で追加のビーコンを周期的に受信するステップと、
前記ワイヤレス通信デバイスによって、前記追加のビーコンに基づいて前記共有スペクトルを通じた通信を調整するステップと
をさらに含む、請求項7に記載の方法。
【請求項１０】
前記ワイヤレス通信デバイスが第3階層のデバイスであり、前記通信を調整するステップが、利用可能な第3階層のタイムフレーム中にデータを伝送するステップを含む、および/または
前記ワイヤレス通信デバイスが第2階層のデバイスであり、前記通信を調整するステップが、利用可能な第2階層のタイムフレーム中にデータを伝送するステップを含む、
請求項7に記載の方法。
【請求項１１】
前記ワイヤレス通信デバイスが第3階層のデバイスであるとき、前記方法が、
前記ビーコンに含まれる第3階層のイネーブル信号、および/または
前記ビーコンに含まれる第2階層の予約時間
に基づいて、前記利用可能な第3階層のタイムフレームを識別するステップであって、前記利用可能な第3階層のタイムフレームが、前記第2階層の予約時間外にある、ステップをさらに含む、請求項10に記載の方法。
【請求項１２】
前記ワイヤレス通信デバイスが第2階層のデバイスであるとき、前記方法が、
前記ビーコンに含まれる第2階層のイネーブル信号、および/または
前記ビーコンに含まれる第2階層の予約時間
に基づいて、前記利用可能な第2階層のタイムフレームを識別するステップであって、前記利用可能な第2階層のタイムフレームが、前記第2階層の予約時間内にある、ステップをさらに含む、請求項10に記載の方法。
【請求項１３】
第2階層のワイヤレス通信アクティビティを検出するために、前記ワイヤレス通信デバイスによって、前記STFを復号するステップと、
前記第2階層のワイヤレス通信アクティビティのチャネルを推定するために、前記ワイヤレス通信デバイスによって、前記LTFを復号するステップと
をさらに含み、
前記共有スペクトルを通じた前記通信を調整するステップが、前記第2階層のワイヤレス通信アクティビティの前記推定されるチャネルを回避するステップを含む、
請求項7に記載の方法。
【請求項１４】
請求項1〜13のいずれか一項に記載の方法を実行するための手段を備える、ワイヤレス通信デバイス。
【請求項１５】
コンピュータに、請求項1〜13のいずれか一項に記載の方法を実行するためのプログラムコードを記録した、コンピュータ可読記憶媒体。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
メディアファイル要求への不完全応答を構文解析するための方法であって、
不完全バージョンのメディアファイルを、応答メッセージが前記不完全バージョンの前記メディアファイルを含むという表示、および前記不完全バージョンの前記メディアファイル用のアクセス位置の表示、を含む前記応答メッセージの中で受信するステップであって、前記アクセス位置が、前記不完全バージョンの前記メディアファイルを復号するために前記不完全バージョンの前記メディアファイルの構文解析をそこにおいて開始すべきバイトを識別する、ステップと、
前記アクセス位置に対応する前記バイトが、前記不完全バージョンの前記メディアファイルの中で受信されているかどうかを決定するステップと、
前記アクセス位置に対応する前記バイトが前記不完全バージョンの前記メディアファイルの中で受信されているという決定に応答して、前記不完全バージョンの前記メディアファイルを、前記アクセス位置に対応する前記バイトにおいて開始して構文解析するステップと
を備える、方法。
【請求項２】
前記メディアファイル要求に関連するメディアファイルの初期部分が、前記不完全バージョンの前記メディアファイルの中で受信されているかどうかを決定するステップと、
前記メディアファイルの前記初期部分が前記不完全バージョンの前記メディアファイルの中で受信されているという決定に応答して、前記不完全バージョンの前記メディアファイルを、前記メディアファイルの前記初期部分の最初のバイトにおいて開始して構文解析するステップと
をさらに備える、請求項1に記載の方法。
【請求項３】
前記アクセス位置が、前記メディアファイル要求に関連するメディアファイルのバイト範囲の中での中間的なバイト位置である、請求項1に記載の方法。
【請求項４】
前記アクセス位置が、前記メディアファイル要求に関連するメディアファイルの初期部分の外側にある、請求項1に記載の方法。
【請求項５】
前記メディアファイル要求に関連する前記メディアファイルの前記初期部分が、前記メディアファイル要求に関連する前記メディアファイルの最初のムービーフラグメントヘッダである、請求項4に記載の方法。
【請求項６】
前記メディアファイルがDASHメディアストリームの一部である、請求項1に記載の方法。
【請求項７】
請求項1から6のいずれか一項に記載の方法を備える動作を実行するようにプロセッサ実行可能命令を用いて構成されたプロセッサを備える、コンピューティングデバイス。
【請求項８】
請求項1から6のいずれか一項に記載の方法を備える動作をコンピューティングデバイスプロセッサに実行させるように構成されたプロセッサ実行可能命令を記憶した、非一時的プロセッサ可読記憶媒体。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ワイヤレスネットワークにおける通信の方法であって、
第1のフォーマットに従って、第1のメッセージの第1の部分を送信するステップであって、前記第1のメッセージの前記第1の部分が、前記第1のフォーマットに適合する第1のワイヤレス通信デバイスのセットに向けられた、第1の情報を含み、前記第1のメッセージが、チャネル状態情報を要求する、ステップと、
第2のフォーマットに従って、前記第1のメッセージの第2の部分を送信するステップであって、前記第1のメッセージの前記第2の部分が、前記第2のフォーマットに適合する第2のワイヤレス通信デバイスのセットに向けられた第2の情報を含み、前記第1のメッセージの前記第2の部分が、
識別子のリスト、
前記チャネル状態情報を推定するためのパラメータのセット、および
アップリンク送信割振り情報
のうちの少なくとも1つを備える、ステップと
を含む、方法。
【請求項２】
前記チャネル状態情報を決定するために使用可能である第3の情報を含む、第2のメッセージを送信するステップと、
2つ以上のトーンまたはサブバンドを介して、1つまたは複数のワイヤレス通信デバイスから、前記チャネル状態情報を受信するステップと
をさらに含む、請求項1に記載の方法。
【請求項３】
前記チャネル状態情報が、アップリンクマルチユーザ物理レイヤコンバージェンスプロトコルデータユニット(UL-MU-PPDU)において受信される、請求項2に記載の方法。
【請求項４】
前記チャネル状態情報が、多入力多出力(MIMO)プロトコルまたは周波数分割多元接続(FDMA)プロトコルに従って受信される、請求項2に記載の方法。
【請求項５】
前記第1のメッセージが、サウンディングフレームアナウンスメントメッセージであり、前記第2のメッセージが、サウンディングフレームである、請求項2に記載の方法。
【請求項６】
前記第2のメッセージが、前記サウンディングフレームが前記第2のワイヤレス通信デバイスのセットに向けられるという第1の指示と、マルチユーザチャネル状態情報が要求されるという第2の指示とをさらに備える、請求項5に記載の方法。
【請求項７】
前記サウンディングフレームアナウンスメントメッセージが、高効率ヌルデータパケットアナウンスメント(HE NDPA)であり、前記サウンディングフレームが、高効率ヌルデータパケット(HE NDP)である、請求項5に記載の方法。
【請求項８】
前記チャネル状態情報を決定するために使用され得る第3の情報を含む、第2のメッセージを送信するステップと、
第1のワイヤレス通信デバイスから、前記チャネル状態情報を受信するステップと、
前記チャネル状態情報を受信した後に、前記チャネル状態情報を送信するように第2のワイヤレス通信デバイスをトリガするために、ビームフォーミング報告ポールフレームを送信するステップと、
前記第2のワイヤレス通信デバイスから、前記チャネル状態情報を受信するステップと
をさらに含む、請求項1に記載の方法。
【請求項９】
ワイヤレス通信のための装置であって、
第1のフォーマットに従って、第1のメッセージの第1の部分を生成するための手段であって、前記第1のメッセージの前記第1の部分が、前記第1のフォーマットに適合する第1のワイヤレス通信デバイスのセットに向けられた、第1の情報を含み、前記第1のメッセージが、チャネル状態情報を要求する、手段と、
第2のフォーマットに従って、前記第1のメッセージの第2の部分を生成するための手段であって、前記第1のメッセージの前記第2の部分が、前記第2のフォーマットに適合する第2のワイヤレス通信デバイスのセットに向けられた第2の情報を含み、前記第1のメッセージの前記第2の部分が、
識別子のリスト、
前記チャネル状態情報を推定するためのパラメータのセット、および
アップリンク送信割振り情報
のうちの少なくとも1つを備える、手段と、
前記第1のメッセージを送信するための手段と
を備える、装置。
【請求項１０】
前記チャネル状態情報を決定するために使用可能である第3の情報を含む、第2のメッセージを生成するための手段と、
前記第2のメッセージを送信するための手段と、
2つ以上のトーンまたはサブバンドを介して、1つまたは複数のワイヤレス通信デバイスから、前記チャネル状態情報を受信するための手段と
をさらに備える、請求項9に記載の装置。
【請求項１１】
前記チャネル状態情報が、アップリンクマルチユーザ物理レイヤコンバージェンスプロトコルデータユニット(UL-MU-PPDU)において受信される、請求項10に記載の装置。
【請求項１２】
前記第1のメッセージが、サウンディングフレームアナウンスメントメッセージであり、前記第2のメッセージが、サウンディングフレームである、請求項10に記載の装置。
【請求項１３】
前記第2のメッセージが、前記サウンディングフレームが前記第2のワイヤレス通信デバイスのセットに向けられるという第1の指示と、マルチユーザチャネル状態情報が要求されるという第2の指示とをさらに備える、請求項12に記載の装置。
【請求項１４】
前記サウンディングフレームアナウンスメントメッセージが、高効率ヌルデータパケットアナウンスメント(HE NDPA)であり、前記サウンディングフレームが、高効率ヌルデータパケット(HE NDP)である、請求項12に記載の装置。
【請求項１５】
コンピュータによって実行されると、請求項1から8のいずれか一項に記載の方法を前記コンピュータにさせる命令を含む、コンピュータプログラム。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
第１の信号を生成するように構成された第１のマイクロホン構成要素であって、
第１の方向に面する外側を有する第１の圧力変形可能ダイアフラムであって、前記第１の信号が前記第１の圧力変形可能ダイアフラムの変形とともに変化する、第１の圧力変形可能ダイアフラムと、
前記第１の圧力変形可能ダイアフラムの内側から離間され、前記第１の圧力変形可能ダイアフラムによって少なくとも部分的に取り囲まれた第１の容積内に配置された第１の電極と
を備える第１のマイクロホン構成要素と、
第２の信号を生成するように構成された第２のマイクロホン構成要素であって、
第２の方向に面する外側を有する第２の圧力変形可能ダイアフラムであって、前記第２の信号が前記第２の圧力変形可能ダイアフラムの変形とともに変化し、前記第２の方向が前記第１の方向と実質的に反対である、第２の圧力変形可能ダイアフラムと、
前記第２の圧力変形可能ダイアフラムの内側から離間され、前記第２の圧力変形可能ダイアフラムによって少なくとも部分的に取り囲まれた第２の容積内に配置された第２の電極と
を備える第２のマイクロホン構成要素と、
出力信号を生成するために前記第１および第２の信号を合計するように構成された電子回路と
を備えるマイクロホン。
【請求項２】
前記第１のマイクロホン構成要素が、前記第２のマイクロホン構成要素に強固に取り付けられた、請求項１に記載のマイクロホン。
【請求項３】
前記第１の圧力変形可能ダイアフラムが、前記第２の圧力変形可能ダイアフラムと平行な位置に向けられた、請求項１に記載のマイクロホン。
【請求項４】
前記出力信号が、前記マイクロホンの加速によって実質的に影響を受けない、請求項１に記載のマイクロホン。
【請求項５】
前記電子回路が、受動加算回路または能動加算回路を備える、請求項１に記載のマイクロホン。
【請求項６】
前記第１のマイクロホン構成要素および前記第２のマイクロホン構成要素が、前記第１の圧力変形可能ダイアフラムに対して垂直な軸に沿って整列された、請求項１に記載のマイクロホン。
【請求項７】
前記第１のマイクロホン構成要素が、前記第２のマイクロホン構成要素から横方向にオフセットされた、請求項１に記載のマイクロホン。
【請求項８】
前記第１および第２の圧力変形可能ダイアフラムの各々が、周囲に露出された、請求項１に記載のマイクロホン。
【請求項９】
前記第１のマイクロホン構成要素および前記第２のマイクロホン構成要素を少なくとも部分的に取り囲むように構成されたハウジングであって、前記第１および第２の圧力変形可能ダイアフラムを周囲に露出させるように構成された少なくとも１つの開口部を含む、ハウジングをさらに備える、請求項１に記載のマイクロホン。
【請求項１０】
前記少なくとも１つの開口部が、音響メッシュを備える、請求項９に記載のマイクロホン。
【請求項１１】
第１の方向に向けられた第１の音検出構成要素から第１の信号を受信するステップであって、前記第１の音検出構成要素が、
第１の方向に面する外側を有する第１の圧力変形可能ダイアフラムであって、前記第１の信号が前記第１の圧力変形可能ダイアフラムの変形とともに変化する、第１の圧力変形可能ダイアフラムと、
前記第１の圧力変形可能ダイアフラムの内側から離間され、前記第１の圧力変形可能ダイアフラムによって少なくとも部分的に取り囲まれた第１の容積内に配置された第１の電極とを備える、
第１の方向に向けられた第１の音検出構成要素から第１の信号を受信するステップと、
前記第１の音検出構成要素に強固に取り付けられ、前記第１の方向と実質的に反対の第２の方向に向けられた第２の音検出構成要素から第２の信号を受信するステップであって、前記第２の音検出構成要素が、
第２の方向に面する外側を有する第２の圧力変形可能ダイアフラムであって、前記第２の信号が前記第２の圧力変形可能ダイアフラムの変形とともに変化し、前記第２の方向が前記第１の方向と実質的に反対である、第２の圧力変形可能ダイアフラムと、
前記第２の圧力変形可能ダイアフラムの内側から離間され、前記第２の圧力変形可能ダイアフラムによって少なくとも部分的に取り囲まれた第２の容積内に配置された第２の電極とを備える、
第２の方向に向けられた第２の音検出構成要素から第２の信号を受信するステップと、
前記第１および第２の音検出構成要素の加速によって生成された信号成分を実質的に含まない結合出力を生成するために前記第１および第２の信号を合計するステップと
を備える方法。
【請求項１２】
前記第１の圧力変形可能ダイアフラムの外側表面が前記第１の方向で周囲に面するように向けられ、前記第２の圧力変形可能ダイアフラムの前記外側表面が、前記第１の方向と実質的に反対の第２の方向で周囲に向けられた、請求項１１に記載の方法。
【請求項１３】
前記第１および第２の圧力変形可能ダイアフラムが、空気圧の変化によって引き起こされる前記第１および第２の信号の成分が大きさおよび極性において実質的に等しいように構成された、請求項１１に記載の方法。
【請求項１４】
前記第１および第２の圧力変形可能ダイアフラムが、マイクロホンの加速によって引き起こされる前記第１および第２の信号の成分が大きさにおいて実質的に等しく、極性において反対であるように構成された、請求項１１に記載の方法。
【請求項１５】
前記第１および第２の信号を合計するステップが、前記第１および第２の信号を合計するために受動加算回路または能動加算回路を使用するステップを備える、請求項１１に記載の方法。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
第１の温度にある基板の表面に窒素又はハロゲンを含むラジカルを送達すること、
前記第１の温度により、前記ラジカルと前記基板の前記表面の間のさらなる反応を回避しつつ、前記ラジカルを前記基板の前記表面に吸着すること、
前記基板の前記表面を、前記ラジカルが前記基板の前記表面と反応する第２の温度で加熱すること、及び
前記送達すること、前記吸着すること、及び前記加熱することを繰り返すこと
を含む、方法。
【請求項２】
前記第２の温度が前記第１の温度よりも高く、前記第２の温度がセ氏約１０００度からセ氏約１３００度の範囲である、請求項１に記載の方法。
【請求項３】
前記ラジカルがラジカルを含有するハロゲンであり、前記基板の前記表面がケイ素を含み、前記第２の温度で前記ラジカルを含有するハロゲンが前記ケイ素と反応して生成物を生成し、前記生成物が前記基板の前記表面から除去される、請求項１に記載の方法。
【請求項４】
前記ラジカルと前記基板の前記表面の間の反応の生成物を前記基板から取り除くことをさらに含む、請求項３に記載の方法。
【請求項５】
第１の温度にある基板の表面にラジカルを送達すること、
前記第１の温度により、前記ラジカルを、前記基板の前記表面に拡散させずに前記基板の前記表面に吸着すること、
前記基板の前記表面を、前記ラジカルが前記基板の前記表面に拡散する第２の温度で加熱すること、及び
前記送達すること、前記吸着すること、及び前記加熱することを繰り返すこと
を含む、方法。
【請求項６】
前記第２の温度が前記第１の温度よりも高く、前記第２の温度がセ氏約１０００度からセ氏約１３００度の範囲である、請求項５に記載の方法。
【請求項７】
前記ラジカルが窒素又はホウ素を含む、請求項５に記載の方法。
【請求項８】
前記基板の前記表面が二酸化ケイ素又はケイ素を含む、請求項７に記載の方法。
【請求項９】
底部、
側壁、
上部、
を備える処理チャンバであって、前記底部と前記側壁と前記上部とが処理領域を画定し、前記処理チャンバはさらに、
前記側壁に形成され、前記処理領域につながる注入ポート、
前記処理領域に配置された基板支持体、
前記基板支持体に配置された温度制御要素、
前記基板支持体の上方に配置されたフラッシュ熱源、及び
前記注入ポートに連結されたラジカルガス源
を備える、処理チャンバ。
【請求項１０】
前記フラッシュ熱源が複数のレーザを含む、請求項９に記載の処理チャンバ。
【請求項１１】
前記フラッシュ熱源が複数のランプを含む、請求項９に記載の処理チャンバ。
【請求項１２】
前記温度制御要素が加熱要素を含む、請求項９に記載の処理チャンバ。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
第１のパッケージであって、
第１の基板と、
前記第１の基板に結合されている第１のダイと
を備える、第１のパッケージと、
前記第１のパッケージに結合されている第２のパッケージであって、
第２の基板と、
前記第２の基板に結合されている第２のダイと
を備える、第２のパッケージと、
前記第１のダイと前記第２の基板との間に位置する双方向熱電冷却器とを備え、前記双方向熱電冷却器は、前記第１のパッケージと前記第２のパッケージとの間で行き来して動的に熱を放散させるように構成されており、前記双方向熱電冷却器は、
（ｉ）前記第１のダイの第１の温度読み値が前記第１のダイの第１の最大温度以上であり、かつ（ｉｉ）前記第２のダイの第２の温度読み値が前記第２のダイの第２の最大温度未満である場合に、前記第１のダイから前記第２のダイへと熱を放散させ、
（ｉ）前記第２の温度読み値が前記第２の最大温度以上であり、かつ（ｉｉ）前記第１の温度読み値が前記第１の最大温度未満である場合に、前記第２のダイから前記第１のダイへと熱を放散させるように構成されている、パッケージオンパッケージデバイス。
【請求項２】
前記双方向熱電冷却器は、前記第１のダイから前記第２の基板を通じて前記第２のダイへと熱を放散させるように構成されている、請求項１に記載のパッケージオンパッケージデバイス。
【請求項３】
前記双方向熱電冷却器は、第１の熱伝導性接着剤によって前記第１のダイに結合されている、請求項１に記載のパッケージオンパッケージデバイス。
【請求項４】
前記双方向熱電冷却器は、複数の熱電冷却器からなるアレイである、請求項１に記載のパッケージオンパッケージデバイス。
【請求項５】
前記双方向熱電冷却器は、前記第１のダイまたは第１の封止層または前記第２の基板内の相互接続を含む複数の相互接続を通じて熱電冷却器コントローラに電気的に結合されている、請求項１に記載のパッケージオンパッケージデバイス。
【請求項６】
前記第１のダイは第１の論理ダイであり、前記第２のダイは、少なくとも第２の論理ダイまたはメモリダイのうちの一つである、請求項１に記載のパッケージオンパッケージデバイス。
【請求項７】
前記第１のパッケージは、前記第１の基板に結合されている第３のダイをさらに備え、前記双方向熱電冷却器は、前記第１のダイと前記第３のダイとの間で行き来して動的に熱を放散させるようにさらに構成されている、請求項１に記載のパッケージオンパッケージデバイス。
【請求項８】
前記第１のパッケージは、前記第１の基板に結合されている第３のダイをさらに備え、前記パッケージオンパッケージデバイスは、第２の双方向熱電冷却器をさらに備え、前記双方向熱電冷却器と前記第２の双方向熱電冷却器との組合せは、前記第１のダイと前記第３のダイとの間で行き来して動的に熱を放散させるように構成されている、請求項１に記載のパッケージオンパッケージデバイス。
【請求項９】
パッケージオンパッケージデバイスの温度管理のための方法であって、
第１のダイの第１の温度読み値を受信するステップと、
第２のダイの第２の温度読み値を受信するステップと、
前記第１のダイの前記第１の温度読み値が、前記第１のダイの第１の最大温度以上であるか否かを判定するステップと、
前記第２のダイの前記第２の温度読み値が、前記第２のダイの第２の最大温度以上であるか否かを判定するステップと、
（ｉ）前記第１の温度読み値が前記第１の最大温度以上であり、かつ（ｉｉ）前記第２の温度読み値が前記第２の最大温度未満である場合に、前記第１のダイから前記第２のダイへと熱を放散させるように、双方向熱電冷却器を構成するステップと、
（ｉ）前記第２の温度読み値が前記第２の最大温度以上であり、かつ（ｉｉ）前記第１の温度読み値が前記第１の最大温度未満である場合に、前記第２のダイから前記第１のダイへと熱を放散させるように、前記双方向熱電冷却器を構成するステップとを含む方法。
【請求項１０】
前記第１のダイから前記第２のダイへと熱を放散させるように前記双方向熱電冷却器を構成するステップは、前記双方向熱電冷却器に第１の信号を送信するように熱電冷却器コントローラを構成するステップを含み、前記第１の信号は第１の極性を有し、
前記第２のダイから前記第１のダイへと熱を放散させるように前記双方向熱電冷却器を構成するステップは、前記双方向熱電冷却器に第２の信号を送信するように前記熱電冷却器コントローラを構成するステップを含み、前記第２の信号は、前記第１の極性と反対の第２の極性を有する、請求項９に記載の方法。
【請求項１１】
（ｉ）前記第１の温度読み値が前記第１の最大温度未満であり、かつ（ｉｉ）前記第２の温度読み値が前記第２の最大温度未満である場合に、非アクティブになるように前記双方向熱電冷却器を構成するステップをさらに含む請求項９に記載の方法。
【請求項１２】
（ｉ）前記第１の温度読み値が前記第１の最大温度以上であり、かつ（ｉｉ）前記第２の温度読み値が前記第２の最大温度以上である場合に、第１のダイの性能を低減するように前記第１のダイに命令するステップと、
（ｉ）前記第１の温度読み値が前記第１の最大温度以上であり、かつ（ｉｉ）前記第２の温度読み値が前記第２の最大温度以上である場合に、非アクティブになるように前記双方向熱電冷却器を構成するステップとをさらに含む請求項１０に記載の方法。
【請求項１３】
（ｉ）前記第１の温度読み値が前記第１の最大温度以上であり、かつ（ｉｉ）前記第２の温度読み値が前記第２の最大温度以上である場合に、第２のダイの性能を低減するように前記第２のダイに命令するステップをさらに含む、請求項１０に記載の方法。
【請求項１４】
パッケージオンパッケージデバイスの温度管理を実施するための一つまたは複数の命令を含む非一時的プロセッサ可読記憶媒体であって、前記命令は、少なくとも一つの処理回路によって実行されると、前記少なくとも一つの処理回路に請求項９から１３のいずれか一項に記載の方法を行わせる、非一時的プロセッサ可読記憶媒体。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
通知及び／又は雰囲気生成のための照明装置であって、第１の信号を前記照明装置に送信する第１の装置及び前記第１の装置と前記照明装置との間の近接度を検出する近接度検出器を備える照明システムのための照明装置であり、
光出力を行う少なくとも１つの光源と、
前記照明装置の第１の向きを検出する検出器と、
前記第１の装置から前記第１の信号を受信する受信機と、
前記第１の信号及び前記照明装置の前記第１の向きに基づいて第１の光設定を生成し、前記第１の装置が前記照明装置の所定の近接度内にある場合、前記第１の光設定に基づいて前記少なくとも１つの光源の前記光出力を制御するプロセッサとを備え、
さらに、前記検出器は、前記照明装置の向き変更を示すユーザ入力を検出し、前記向き変更に基づき第２の向きを検出し、
さらに、前記プロセッサは、前記第１の信号及び前記照明装置の前記第２の向きに基づき第２の光設定を生成し、前記第１の装置が前記照明装置の前記所定の近接度内にある場合、前記第２の光設定に基づき前記少なくとも１つの光源の前記光出力を制御し、前記第１の向きにおける前記光出力は、前記第２の向きにおける前記光出力とは異なる、
照明装置。
【請求項２】
さらに、前記プロセッサは、受信された前記第１の信号に基づいて複数の光設定を生成し、前記複数の光設定を前記照明装置の複数の向きと関連づけ、前記照明装置の現在の向きに関連づけられた光設定に基づいて、前記少なくとも１つの光源の前記光出力を制御する、請求項１に記載の照明装置。
【請求項３】
前記プロセッサは、複数の受信された前記第１の信号に基づいて前記複数の光設定を決定し、前記複数の光設定を前記照明装置の前記複数の向きに関連付ける、請求項２に記載の照明装置。
【請求項４】
前記照明装置は複数の表面領域を含み、各表面領域は前記照明装置の向きに対応し、前記プロセッサは、前記複数の光設定を前記複数の表面領域に関連付けし、関連づけられた前記光設定に従って、前記各表面領域の前記光出力を制御する、請求項１乃至３のいずれか一項に記載の照明装置。
【請求項５】
前記プロセッサは、前記第１の信号及び前記照明装置の現在の向きに基づいて動的光設定を生成し、前記動的光設定は、複数の時点にわたって分配された一連の光設定によって定められる、請求項１乃至４のいずれか一項に記載の照明装置。
【請求項６】
前記照明装置は、オーディオ効果を生成するオーディオレンダリング要素をさらに備え、さらに、前記プロセッサは、前記照明装置の現在の向き及び前記第１の信号に基づいて前記オーディオレンダリング要素を制御し、それにより、前記現在の向き及び前記第１の信号に依存する前記オーディオ効果を生成する、請求項１乃至５のいずれか一項に記載の照明装置。
【請求項７】
さらに、前記プロセッサは、時間及び／又は日付情報にさらに基づいて、前記少なくとも１つの光源の前記光出力を制御する、請求項１乃至６のいずれか一項に記載の照明装置。
【請求項８】
前記プロセッサは、前記少なくとも１つの光源によって発せられる光が埋め込みコードを含むように、前記少なくとも１つの光源の前記光出力を制御する、請求項１乃至７のいずれか一項に記載の照明装置。
【請求項９】
前記照明装置は、前記ユーザ入力を受信するユーザインタフェースをさらに備え、前記ユーザ入力は、
複数の前記第１の装置から前記第１の装置を選択することと、
前記照明装置の動作モードを選択することと、
を含む群のうちの少なくとも１つを表し、
さらに、前記プロセッサは、受信された前記ユーザ入力に従って前記光源を制御する、請求項１乃至８のいずれか一項に記載の照明装置。
【請求項１０】
前記照明装置は前記近接度検出器を備える、請求項１乃至９のいずれか一項に記載の照明装置。
【請求項１１】
通知及び／又は雰囲気作成のための照明システムであって、
請求項１乃至１０のいずれか一項に記載の照明装置と、
第１の信号を前記照明装置に送信する第１の装置とを備える、
照明システム。
【請求項１２】
通知及び／又は雰囲気作成のための照明装置の制御方法であって、
前記照明装置の第１の向きを検出するステップと、
第１の装置から第１の信号を受信するステップと、
第１の装置と前記照明装置との間の近接度を検出するステップと、
前記第１の信号及び前記照明装置の前記第１の向きに基づいて第１の光設定を生成するステップと、
前記第１の装置が前記照明装置の所定の近接度内にある場合、前記第１の光設定に基づいて前記照明装置の少なくとも１つの光源の光出力を制御するステップと、
前記照明装置の向き変更を示すユーザ入力を検出するステップと、
前記向き変更に基づいて第２の向きを検出するステップと、
前記第１の信号及び前記照明装置の前記第２の向きに基づいて第２の光設定を生成するステップと、
前記第１の装置が前記照明装置の前記所定の近接度内にある場合、前記第２の光設定に基づいて前記少なくとも１つの光源の前記光出力を制御するステップとを含み、前記第１の向きにおける前記光出力は前記第２の向きにおける前記光出力とは異なる、
方法。
【請求項１３】
複数の光設定を照明装置の複数の向きに関連付けるステップと、
前記関連付けを記憶するステップと、
前記照明装置の現在の向きに関連付けられた光設定に基づいて、前記少なくとも１つの光源の前記光出力を制御するステップとをさらに含む、
請求項１２に記載の方法。
【請求項１４】
前記第１の信号は、
前記第１の装置上で動作するアプリケーションと、
前記第１の装置の動作モードと、
前記第１の装置によって生成されるセンサ出力信号と、
前記第１の装置上で動作するアプリケーションによって生成される出力信号と、
前記第１の装置の識別子と、
を含む群のうちの少なくとも１つを示す、請求項１３又は１４に記載の方法。
【請求項１５】
コンピュータプログラムが処理ユニット上で実行されると、請求項１２乃至１４のいずれか一項に記載の方法を実行するためのコンピュータプログラムコードを含む、コンピュータ装置のためのコンピュータプログラム。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
アルカリ電気化学セルであって、
正集電体と、
前記正集電体と接触する正極と、
亜鉛系粒子と、アルカリ電解質と、ゲル化剤と、アルカリ金属水酸化物、有機リン酸エステル界面活性剤、金属酸化物、及びスズからなる群から選択される２つ以上の添加物と、を含む、ゲル状負極と、
前記正極と前記負極との間のセパレータと、
前記負極に電気的に接触する負集電体と、を備える、アルカリ電気化学セル。
【請求項２】
前記アルカリ電解質は、水酸化カリウムを含む、請求項１に記載のアルカリ電気化学セル。
【請求項３】
前記アルカリ金属水酸化物は、水酸化リチウムであり、前記金属酸化物は、酸化セリウムである、請求項１に記載のアルカリ電気化学セル。
【請求項４】
前記添加物は、水酸化リチウム及びリン酸エステル界面活性剤；水酸化リチウム及び酸化セリウム；水酸化リチウム及びスズ；並びに、水酸化リチウム、酸化セリウム及びスズ、からなる群から選択される、請求項１に記載のアルカリ電気化学セル。
【請求項５】
前記リン酸エステル界面活性剤は、ポリ（オキシ−１，２−エタンジイル）α−（ジノニルフェニル）−ω−ヒドロキシ−リン酸塩、ポリオキシエチレントリデシルエーテルリン酸塩、ポリ（オキシ−１，２−エタンジイル）−α−ヒドロ−ω−ヒドロキシ−Ｃ8-10−アルキルエーテルリン酸塩、ポリオキシエチレンイソトリデシルリン酸塩、ポリオキシプロピレンポリオキシエチレンセチルエーテル、Ｃ10-Ｃ14アルコールエトキシレートリン酸エステル、トリデシルアルコールエトキシレートリン酸エステル、及びノニルフェノールエトキシレートリン酸エステルからなる群から選択される、請求項１に記載のアルカリ電気化学セル。
【請求項６】
アルカリ金属水酸化物、有機リン酸エステル界面活性剤、金属酸化物、及びスズからなる群から選択される２つ以上の添加物を前記ゲル状負極の中に有しないアルカリ電気化学セルと比較して、約１０％〜約６０％のガス発生の減少を示す、請求項１に記載のアルカリ電気化学セル。
【請求項７】
前記亜鉛系粒子は、亜鉛合金粒子であり、前記亜鉛合金粒子は、約１００ｐｐｍ〜約２８０ｐｐｍのビスマス、及び約１００ｐｐｍ〜約２８０ｐｐｍのインジウムを含み、亜鉛合金の総重量に対して約２０重量％〜約５０重量％が、約７５マイクロメートルよりも小さい粒径を有する、請求項１記載のアルカリ電気化学セル。
【請求項８】
アルカリ電気化学セル用のゲル状負極であって、前記負極は、亜鉛系粒子、アルカリ電解質、ゲル化剤、ならびにアルカリ金属水酸化物、有機リン酸エステル界面活性剤、金属酸化物、及びスズからなる群から選択される２つ以上の添加物を含む、ゲル状負極。
【請求項９】
前記アルカリ金属水酸化物及び金属酸化物を含み、前記アルカリ金属水酸化物が水酸化リチウムであり、前記金属酸化物が酸化セリウムである、請求項８に記載のゲル状負極。
【請求項１０】
ゲル状負極混合物の総重量に対して、前記水酸化リチウムは約０．０２重量％〜約０．２重量％の濃度で存在し、前記酸化セリウムは約０．０５重量％〜約０．２重量％の濃度で存在し、前記有機リン酸エステル界面活性剤は約０．００１重量％〜約０．０１５重量％の濃度で存在し、スズは、約０．０５重量％〜約０．２重量％の濃度で存在する、請求項９に記載のゲル状負極。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
少なくとも２つの熱的に分離されたサブエンジンを有する分割照明エンジンを含む照明デバイスであって、外囲器を更に含み、前記サブエンジンは、前記外囲器内に、前記照明デバイスの光軸に沿って配置され、各サブエンジンは、
少なくとも１つの固体光源と、
前記少なくとも１つの固体光源への電流又は電力を調整するコンポーネントと、
を含み、
前記照明デバイスは更に、前記少なくとも１つの固体光源を駆動するために、各サブエンジンに接続される共通のドライバ回路を含み、これにより、前記サブエンジンは、各サブエンジンの熱環境に基づいて、個別に駆動可能であり、
各サブエンジンは、現在の前記熱環境に基づいて、最大温度及び光出力において適応又は動作することができる、
照明デバイス。
【請求項２】
各サブエンジンは、前記照明デバイスの前記光軸と平行に配置される基板を含み、前記少なくとも１つの固体光源は、前記基板に取り付けられる、請求項１に記載の照明デバイス。
【請求項３】
各サブエンジンは、所定の距離だけ、他のサブエンジンから離間される、請求項１又は２に記載の照明デバイス。
【請求項４】
前記所定の距離は、少なくとも５ｍｍである、請求項３に記載の照明デバイス。
【請求項５】
前記コンポーネントは、前記少なくとも１つの固体光源への電流又は電力を受動的に調整する受動コンポーネントである、請求項１乃至４の何れか一項に記載の照明デバイス。
【請求項６】
前記コンポーネントは、前記少なくとも１つの固体光源への電流又は電力を能動的に調整する能動コンポーネントである、請求項１乃至４の何れか一項に記載の照明デバイス。
【請求項７】
前記サブエンジンを少なくとも部分的に取り囲む積層造形によって作られたシェルを更に含む、請求項１乃至６の何れか一項に記載の照明デバイス。
【請求項８】
電球又は照明器具である、請求項１乃至７の何れか一項に記載の照明デバイス。
【請求項９】
少なくとも２つの熱的に分離されたサブエンジンを有する分割照明エンジンを含み、外囲器を更に含む照明デバイスであって、前記サブエンジンは、前記外囲器内に、前記照明デバイスの光軸に沿って配置され、各サブエンジンは、少なくとも１つの固体光源を含む、当該照明デバイスを動作させる方法であって、
前記少なくとも１つの固体光源への電流又は電力を調整するステップを含み、
前記照明デバイスは更に、各サブエンジンの熱環境に基づいて、前記サブエンジンを個別に駆動するように、前記少なくとも１つの固体光源を駆動するために各サブエンジンに接続される共通のドライバ回路を含み、
各サブエンジンは、現在の前記熱環境に基づいて、最大温度及び光出力において適応又は動作することができる、
方法。
【請求項１０】
照明デバイスの向きを決定する方法であって、前記照明デバイスは、
少なくとも２つの熱的に分離されたサブエンジンを有する分割照明エンジンであって、各サブエンジンは、少なくとも１つの固体光源と、前記サブエンジンの温度を測定するために、各サブエンジンに配置される温度センサとを含む、前記分割照明エンジンと、
前記サブエンジンが、前記サブエンジンの熱環境に基づいて、個別に駆動可能であるように、前記少なくとも１つの固体光源への電流又は電力を調整する手段と、
外囲器と、
を含み、
前記サブエンジンは、前記外囲器内に、前記照明デバイスの光軸に沿って配置され、
前記方法は、
各サブエンジンに、実質的に等量の電力を印加するステップと、
各サブエンジンの温度データを提供するように、各サブエンジンの温度を測定するステップと、
各サブエンジンからの前記温度データ及び前記光軸に沿った前記サブエンジンの配置に基づいて、前記照明デバイスの向きを決定するステップと、
を含む、方法。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
空間構成を管理するシステムであって、当該システムは、空間内の複数のセンサ、及びプロセッサを有し、
各センサは、対応するサブ空間に割り当てられ、
前記プロセッサは、
前記複数のセンサのうちの選択されたセンサから情報を受信し、
情報が受信された前記センサを対応するサブ空間と関連付け、
情報が受信された前記対応するサブ空間と関連する当該空間の現在の構成を、前記対応するサブ空間と関連する受信した前記情報をマッピングすることにより決定し、
前記現在の構成の静的な及び／又は半静的なアイテムに対する重心を決定し、
前記現在の構成の静的な及び／又は半静的なアイテムに対する重心を当該空間の過去の構成の静的な及び／又は半静的なアイテムに対する重心と比較することにより、当該空間の過去の構成から変化が生じたかどうか決定し、
決定された変化した構成に関するレポートを生成する、
システム。
【請求項２】
前記過去の構成のうちの少なくとも１つの構成と共に前記現在の構成を格納する格納ユニットを有する、請求項１に記載のシステム。
【請求項３】
前記過去の構成のうちの前記少なくとも１つの構成のうちの１つは、初期構成に関連する、請求項２に記載のシステム。
【請求項４】
前記複数のセンサは、オーディオセンサ、ビデオセンサ、音響センサ、超音波センサ、赤外線センサ、熱センサ、サーモパイルセンサ、飛行時間センサ及びカメラから成る群から選択される、請求項１に記載のシステム。
【請求項５】
前記サブ空間は、複数の格子要素に配置される、請求項１に記載のシステム。
【請求項６】
前記複数のセンサのうちの少なくとも１つのセンサは、前記複数の格子要素のうちの少なくとも１つの格子要素と関連付けられる、請求項５に記載のシステム。
【請求項７】
前記過去の構成の変化が決定された場合前記現在の構成を前記格納ユニットに格納する、請求項２に記載のシステム。
【請求項８】
格納される前記現在の構成と関連するタイムを格納する、請求項７に記載のシステム。
【請求項９】
前記プロセッサは、複数の空間の各々を多空間プランに統合する、請求項１に記載のシステム。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
照明器具のアクセサリであって、
所定のパターンで配置されるとともに少なくとも１組の位置合わせフィーチャを有する複数のセルを有する第１のルーバ部と、
前記第１のルーバ部と同一の組み立てられていない第２のルーバ部と、
を有する照明器具のアクセサリであって、
組み立てられる場合、前記第２のルーバ部は前記第１のルーバ部に対して１８０°回転され、前記位置合わせフィーチャは、前記第２のルーバ部上に配置された第２の組の位置合わせフィーチャの組と嵌合するように構成されており、
前記所定パターンのセルは、第１の位置において、前記照明器具内に配置された一組の光学素子の第１の半分と位置合わせするように構成されている、
照明器具のアクセサリ。
【請求項２】
前記位置合わせフィーチャは、第１の部分及び第２の部分を形成するように中心軸よって二分されている前記ルーバの第１の側縁部から延在しており、前記位置合わせフィーチャは、
所定の寸法を有するとともに前記中心軸から第１の距離だけ離間されている前記第１の部分から延在しているタブと、
前記第２の部分に配置されるとともに、前記中心軸から前記第１の距離だけ離間されているスロットであって、位置合わせフィーチャの第２の組を形成するように、前記所定の寸法を有する第２のタブと嵌合するように適合されているスロットと、
を有する、請求項１に記載の照明器具のアクセサリ。
【請求項３】
前記第１の部分から延在するとともに前記中心軸から前記第２の距離だけ離間されている第２の所定の寸法を有する第３のタブと、
前記第２の部分に配置されるとともに前記中心軸から前記第２の距離だけ離間されている第３のスロットであって、第２の組の位置合わせフィーチャを形成するように、第２の所定の寸法を有する第４のタブと嵌合するように適合された第３のスロットと、
を更に有する、請求項２に記載の照明器具のアクセサリ。
【請求項４】
前記第１の所定の寸法及び前記第２の所定の寸法は同じである、請求項３に記載の照明器具のアクセサリ。
【請求項５】
第２の所定の寸法を有するとともに第２の部分から延在するとともに中心軸から第２の距離だけ離間されている第３のタブと、
前記第１の部分に配置され、前記中心軸から前記第２の距離だけ離間されている第３のスロットであって、第２の組の位置合わせフィーチャを形成するように、第２の所定の寸法を有する第４のタブと嵌合するように適合されている第３のスロット３２と、
を更に有する、請求項２に記載の照明器具のアクセサリ。
【請求項６】
前記第１の所定の寸法と前記第２の所定の寸法は同じである、請求項５に記載の照明器具のアクセサリ。
【請求項７】
前記所定パターンのセルは、前記第１の位置に対して１８０°回転されている第２の位置において、前記照明器具内に配置された前記光学系の第２の半分と位置合わせするように構成されている、請求項１に記載の照明器具のアクセサリ。
【請求項８】
第２の側縁から延在しているとともに、前記照明器具に取り付けられるように適応化されているフランジを更に有する、請求項１に記載の照明装置のアクセサリ。
【請求項９】
前記フランジは、前記第２の側縁を長手方向に二分する第２の軸から延在するように位置決めされる、請求項８に記載の照明器具のアクセサリ。
【請求項１０】
前記フランジは、前記照明器具に取り付けられた場合、アクセサリ・ベゼルによって規定される凹部内に前記ルーバ部を配置するように位置決めされる、請求項８に記載の照明器具のアクセサリ。
【請求項１１】
前記フランジは、更に、第３の側縁及び第４の側縁から延在している、請求項８に記載の照明器具のアクセサリ。
【請求項１２】
前記ルーバ部が射出成形プラスチックから形成される、請求項１に記載の照明器具のアクセサリ。
【請求項１３】
各セルが、前記ルーバ部を貫通して形成された孔である、請求項１に記載の照明器具のアクセサリ。
【請求項１４】
前記ルーバ部の周囲に取り付けられると共に前記ルーバ部を超えて延在するシールドを更に有する、請求項１に記載の照明器具のアクセサリ。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
バッテリ式装置がバッテリ電力を節約することを可能にしながら前記バッテリ式装置に高優先放送コンテンツの存在を通知する方法であって、
高優先放送信号を生成することと、前記信号は、
前記高優先放送信号の残りの部分を調べるためにアイドル状態から取得状態に切り替わるように前記バッテリ式装置に通知するための高優先シンボル識別子と、
前記アイドル状態に戻る前に高優先放送コンテンツを受信するために、前記取得状態からアクティブ状態に遷移するように前記バッテリ式装置に通知する高優先標識シンボルと、
次の高優先放送信号までの最小時間を含み、前記バッテリ式装置が前記次の高優先放送信号まで前記アイドル状態のままでいることを可能にするタイミングシンボルと、を含んでおり、
前記高優先放送信号を前記バッテリ式装置にブロードキャストすることと、を含む方法。
【請求項２】
前記高優先放送信号を生成することは、ザドフ−チュウシーケンスルート値を用いて生成されたザドフ−チュウシーケンスを、擬似雑音シーケンスシード値を用いて生成された擬似雑音シーケンスで変調することによって、前記高優先シンボル識別子を生成することを含む、請求項１に記載の方法。
【請求項３】
前記バッテリ式装置は太陽電池式装置を含む、請求項１に記載の方法。
【請求項４】
前記高優先放送信号を生成することは、前記バッテリ式装置によって識別され得る事前定義された構文および意味規則に基づく、請求項１に記載の方法。
【請求項５】
前記高優先シンボル識別子はパブリック識別子である、請求項１に記載の方法。
【請求項６】
前記高優先シンボル識別子はプライベート識別子である、請求項１に記載の方法。
【請求項７】
前記高優先放送信号の後にポスト信号波形を付けることをさらに含む、請求項１に記載の方法。
【請求項８】
前記高優先シンボル識別子は、緊急警戒警報と、特定用途向けコンテンツと、超地域密着型情報と、地理的位置情報とのうちの１つを示す、請求項１に記載の方法。
【請求項９】
複数の高優先放送信号を連結することをさらに含む、請求項１に記載の方法。
【請求項１０】
バッテリ電力を節約しながらバッテリ式装置において高優先コンテンツを消費する方法であって、
アイドル状態から取得状態に遷移することと、
高優先識別シンボルと高優先標識シンボルとタイミングシンボルとを含む、高優先放送信号を受信することであって、前記タイミングシンボルは、次に予期される高優先放送信号までの最小時間を含むことと、
前記高優先識別シンボルを正常に復号すると、高優先コンテンツが存在するか否かを判断するために前記高優先標識シンボルを調べることと、
高優先コンテンツが存在するとの判断に応答して、前記高優先コンテンツを消費するために前記取得状態からアクティブ状態に遷移することと、
前記次に予期される高優先放送信号までの前記最小時間を判断するために前記タイミングシンボルを調べることと、
前記最小時間が満了するまで前記アイドル状態に戻ることと、を含む方法。
【請求項１１】
前記高優先シンボル識別子復号に失敗すると、前記取得状態から前記アイドル状態に戻ることをさらに含む、請求項１０に記載の方法。
【請求項１２】
前記高優先シンボル識別子はパブリック識別子である、請求項１０に記載の方法。
【請求項１３】
前記高優先シンボル識別子はプライベート識別子である、請求項１０に記載の方法。
【請求項１４】
前記高優先識別シンボルは、緊急警戒警報と、特定用途向けコンテンツと、超地域密着型情報と、地理的位置情報とのうちの１つを示す、請求項１０に記載の方法。
【請求項１５】
前記次に予期される高優先放送信号までの前記最小時間の測定の基準時点は、前記受信された高優先放送信号の始まりである、請求項１０に記載の方法。
【請求項１６】
前記次に予期される高優先放送信号までの前記最小時間の測定の基準時点は、前記受信された高優先放送信号の終わりである、請求項１０に記載の方法。
【請求項１７】
前記次に予期される高優先放送信号までの前記最小時間の測定の基準時点は、前記受信された高優先放送信号の後の固定時点である、請求項１０に記載の方法。
【請求項１８】
命令を記憶するメモリと、
プロセッサと、
を備えたバッテリ式装置であって、前記プロセッサは、前記命令を実行すると、
前記バッテリ式装置を、アイドル状態から取得状態に遷移させ、
高優先識別シンボルと、高優先標識シンボルと、次に予期される高優先放送信号までの最小時間を含むタイミングシンボルとを含む、高優先放送信号を受信し、
前記高優先識別シンボルを正常に復号すると、高優先コンテンツが存在するか否かを判断するために前記高優先標識シンボルを調べ、
高優先コンテンツが存在するとの判断に応答して、前記高優先コンテンツを消費するために、前記バッテリ式装置を前記取得状態からアクティブ状態に遷移させ、
前記次に予期される高優先放送信号までの前記最小時間を判断するために前記タイミングシンボルを調べ、
前記最小時間が満了するまで、前記バッテリ式装置を前記アイドル状態に戻す
ように構成される、バッテリ式装置。
【請求項１９】
前記プロセッサは、前記命令を実行すると、前記高優先シンボル識別子の復号に失敗すると前記バッテリ式装置を前記取得状態から前記アイドル状態に戻すようにさらに構成される、請求項１８に記載のバッテリ式装置。